(57)【特許請求の範囲】
【請求項１】
便器の便座上に設置され高さを補う補高便座であって表面に不透水層を有するクッション性材料からなり、中央部に空孔を有し、外周にはフランジが垂設されていない便座本体と、該便座本体の空孔周囲から下方へ垂設されるフランジとからなり、該補高便座を便座上に設置した時、該フランジが便器の便座の中央部の空孔に嵌着され、この状態で該フランジが該便座の空孔の周壁に密着していることを特徴とする補高便座
【請求項２】
該便座本体の前端部には凹部が形成されている請求項１に記載の補高便座
【請求項３】
該便座本体の上面にはフロッキー加工が施されている請求項１または２に記載の補高便座
【発明の詳細な説明】
【０００１】
【産業上の利用分野】
本発明は便器の便座上に設置して高さを補う補高便座に関するものである。
【０００２】
【発明が解決しようとする課題】
便器の上面には便座が設置されるが、使用者の体型によって便座の位置が低すぎる場合がある。この場合には便座に腰を下ろすとはまり込んでしまって、特に老人、病人、身障者等の弱者の場合には立ち上がることが困難になる。
【０００３】
【課題を解決するための手段】
本発明は上記従来の課題を解決するための手段として、便器(8) の便座(9) 上に設置され高さを補う補高便座(1) であって表面に不透水層(21)を有するクッション性材料からなり、中央部に空孔(3) を有し、外周にはフランジが垂設されていない便座本体(2) と、該便座本体(2) の空孔(3) 周囲から下方へ垂設されるフランジ(6) とからなり、該補高便座(1) を便座(9) 上に設置した時、該フランジ(6) が便器(8) の便座(9) の中央部の空孔(10)に嵌着され、この状態で該フランジ(6) が該便座(9) の空孔(10)の周壁に密着している補高便座(1) を提供するものである。
該便座本体(2) の前端部には凹部(5) が形成されていることが望ましく、また該便座本体(2) の上面にはフロッキー加工Ｆが施されていることが望ましい。
【０００４】
【作用】
便器(8) の便座(9) 上に補高便座(1) を設置する。この場合該補高便座(1) の本体(2) の空孔(3) の周囲から下方へ垂設されるフランジ(6) を該便座(9) の中央部の空孔(10)に嵌着させる。この状態で該フランジ(6) が該便座(9) の空孔(10)の周壁に密着している。こうすれば該便座(9) の高さは補高便座(1) 分だけ高くなる。該補高便座(1) の本体(2) は不透水層(21)を有するクッション性材料からなるので、腰を下ろした使用者に柔らかな温感が得られ、使用者の臀部になじみ易く、使用者の体の動きにも追従する。
【０００５】
補高便座(1) の本体(2) の前端部に凹部(5) が形成されていると、使用後に介助者が該凹部(5) に手を入れて洗浄し易い。
また該本体(2) の上面にフロッキー加工Ｆが施されていると、使用者が腰を下ろした場合、柔らかな温感が得られる。
【０００６】
【実施例】
本発明を図１〜図８に示す一実施例によって説明すれば、補高便座(1) は表面に不透水層(21)を有する軟質ポリウレタン発泡体(22)のようなクッション性材料からなり、該補高便座(1) の本体(2) の中央部には前端部に凹陥部(4) を有する空孔(3) が設けられ、前端部には凹部(5) が設けられ、また本体(2) の両側部分(2A,2A) は前側から後側に行くにつれ巾が漸増され、かつ傾斜も大きくなるように設定され、腰を下ろした場合に安定感が得られる。即ち図５および図６に示すように図１に示す本体(2) の両側部分(2A,2A) の傾斜角は、前側のＡ−Ａ断面図に示される位置の傾斜角θ1 よりも後側のＢ−Ｂ断面図に示される位置の傾斜角θ2 が大きく設定されている。
【０００７】
更に該本体(2) の空孔(3) の周囲からはフランジ(6) が下方に垂設されており、該フランジ(6) の後端部には円弧状の切欠き(7) が設けられている。そして該本体(2) の上面主要部には撥水性フロッキー加工Ｆが施されている。
【０００８】
上記補高便座(1) は図７および図８に示すように便器(8) の便座(9) 上に設置される。この状態で図８に示すように該補高便座(1) の本体(2) の空孔(3) の周囲から垂設されているフランジ(6) が該便座(9) の空孔(10)に嵌着され、該フランジ(6) は該便座(9) の空孔(10)の周壁に密着し、該補高便座(1) を固定する。
このように便器(8) の便座(9) 上に補高便座(1) を嵌着すれば、図８に示すように便座面の高さが該補高便座(1) の本体(2) の厚み分（ｈ）高くなり、かつ空孔(3) が便器(8) の便座(9) の空孔(10)よりもフランジ(6) の巾ｄだけ狭くなり、使用者が腰を下ろした時、臀部がはまりにくくなる。
【０００９】
また該補高便座(1) の本体(2) の上面には撥水性フロッキー加工Ｆが施されており、しかも前記したように該本体(2) はクッション性材料からなるので、腰を下ろした使用者に柔らかな温感が得られ、長時間着座していても該本体(2) の圧迫による痛みは全く発生せず、また本体(2) はクッション性があり使用者の臀部になじみ易く、また使用者の体の動きにも追従して違和感がない。本発明では、該フロッキー加工Ｆに代えて、該本体(2) 上面に不織布、繊維編織物等の繊維シートが張設されてもよい。
【００１０】
更に前記したように該補高便座(1) の本体(2) の両側部分(2A,2A) が前端から後端に行くにつれて巾を漸増され、また傾斜も大きくなるように設定されているので、腰を下ろして着座した時に安定感が得られ、上記本体(2) は臀部に対してなじみ易く、また使用者の体の動きに対する追従性もあって、使用感は非常に良好である。
【００１１】
また該本体(2) の前端部に形成されている凹陥部(4) と凹部(5) とによって排尿時便座(1) の干渉感がなく安心して排尿できる。そして使用後、介助者が洗浄を行う場合には該補高便座(1) の本体(2) の前端部の凹部(5) から手を差し入れる。更にシャワートイレの場合には、該補高便座(1) のフランジ(6) の後端部に切欠き(7) が設けられているので、シャワーを行う際に該フランジ(6) が干渉しないようにされている。
【００１２】
本発明の補高便座は例えば合成樹脂の射出成形によって製造されるので、該繊維シートを使用する場合には予め射出成形金型にインサートしておけば後張りする必要がない。
【００１３】
上記実施例では該補高便座(1) のフランジ(6) は該便座(9) の空孔(10)の全周壁に接触するよう設定されているが、本発明では該補高便座(1) の横巾を縮小しはまり込みを確実に阻止し、該フランジ(6) の前後部分のみが該便座(9) の空孔(10)の前後周壁に接触するようにしてもよい。
【００１４】
【発明の効果】
本発明では便座の高さを補うことが出来、使用者が腰を下ろした場合のはまり込みを防止し、使用後立上がり易くなる。またクッション性があるから使用者に柔らかな温感が与えられ、長時間着座していても補高便座本体による圧迫感による痛みは全く発生せず、かつ使用者の臀部になじみ易く、また使用者の体の動きにも追従して違和感を与えない。
【図面の簡単な説明】
図１〜図８は本発明の一実施例を示すものである。
【図１】平面図
【図２】側断面図
【図３】裏面図
【図４】後面図
【図５】図１におけるＡ−Ａ断面図
【図６】図１におけるＢ−Ｂ断面図
【図７】使用状態斜視図
【図８】図１におけるＣ−Ｃ断面図
【符号の説明】
1           補高便座
2           補高便座本体
3,10        空孔
5           凹部
6           フランジ
8           便器
9           便座
21          不透水層
Ｆ          フロッキー加工
【図１】
0003597093.tif 000002
【図２】
0003597093.tif 000003
【図３】
0003597093.tif 000004
【図４】
0003597093.tif 000005
【図５】
0003597093.tif 000006
【図６】
0003597093.tif 000007
【図７】
0003597093.tif 000008
【図８】
0003597093.tif 000009